(57)【要約】【課題】保守費用を下げることができ、かつ、水槽内の清潔性の低下を防ぐことができるドラム式洗濯機を提供する。【解決手段】水槽２内には、洗濯物を収容するドラム３が回転自在に配置されている。ドラム３には、水槽２とドラム３との間の空間とドラム３内の空間とを連通させる小孔が設けられている。循環ポンプの稼働によって、水槽２とドラム３との間の水は水槽２外に出て洗濯用ノズル８，異物除去用ノズル９に送られる。洗濯用ノズル８は水をドラム３内へ向けて噴出する一方、異物除去用ノズル９は水を水槽２とドラム３との間へ向けて噴出する。【選択図】図４
2006239141.tif 000002
【特許請求の範囲】
【請求項１】
外箱と、
上記外箱内に配置された水槽と、
上記水槽内に回転自在に配置され、洗濯物を収容するドラムと、
上記ドラムに設けられ、上記水槽と上記ドラムとの間の空間と上記ドラム内の空間とを連通させる連通孔と、
上記水槽と上記ドラムとの間の水を上記ドラム内へ戻して循環させるための循環経路と、
上記循環経路の先端部に設けられて水を上記ドラム内へ向けて噴出する洗濯用ノズルと、
上記循環経路から分岐して上記水槽と上記ドラムとの間へ向かって延びる分岐経路と、
上記分岐経路の先端部に設けられて水を上記水槽と上記ドラムとの間へ向けて噴出する異物除去用ノズルと、
上記循環経路に設けられて水を循環させる循環ポンプと
を備えたことを特徴とするドラム式洗濯機。
【請求項２】
請求項１に記載のドラム式洗濯機において、
上記水槽の下部に設けられ、上記ドラム内の洗濯物を乾燥させるための乾燥システムを備え、
上記異物除去用ノズルから吐出した水が上記乾燥システムの少なくとも一部に当たることを特徴とするドラム式洗濯機。
【請求項３】
請求項１に記載のドラム式洗濯機において、
上記洗濯用ノズルの吐出量は上記異物除去用ノズルの吐出量と異なることを特徴とするドラム式洗濯機。
【請求項４】
請求項１に記載のドラム式洗濯機において、
上記循環経路から上記洗濯用ノズルへの水の供給を止める第１の止水弁と、
上記循環経路から上記異物除去用ノズルへの水の供給を止める第２の止水弁と
を備えたことを特徴とするドラム式洗濯機。
【請求項５】
請求項１に記載のドラム式洗濯機において、
上記洗濯用ノズルと上記異物除去用ノズルとのそれぞれを取り囲む保護カバーを備えたことを特徴とするドラム式洗濯機。
【請求項６】
請求項１に記載のドラム式洗濯機において、
上記外箱の前面に着脱可能に設けられたメンテナンスカバーを備えたことを特徴とするドラム式洗濯機。
【請求項７】
請求項１に記載のドラム式洗濯機において、
上記洗濯用ノズル及び上記異物除去用ノズルの少なくとも一方は交換可能であることを特徴とするドラム式洗濯機。
【発明の詳細な説明】
【技術分野】
【０００１】
本発明はドラム式洗濯機に関する。
【背景技術】
【０００２】
従来、ドラム式洗濯機としては、特開平９−２１５８９３号公報（特許文献１）に記載されたものがある。このドラム式洗濯機は、図９に示すように、水槽９０１と、この水槽９０１内に回転自在に配置され、洗濯物９０８を収容するドラム９０２とを備えている。上記水槽９０１の下部には排水口９０４が設けられており、循環ポンプ９０５が排水口９０４から水槽９０１内の洗濯水を吸い込めるようになっている。上記循環ポンプ９０５の吐出口には循環ホース９０６の一端が接続されている。一方、上記循環ホース９０６の他端は、水槽９０１の上部に取り付けられたノズル９０７に接続されている。
【０００３】
また、上記水槽９０１の下部とドラム９０２の下部との間には、水槽９０１内の洗濯水を加熱するヒータ９０３が設置されている。
【０００４】
上記構成のドラム式洗濯乾燥機によれば、洗い運転時またはすすぎ運転時、水槽９０１内の洗濯水を循環ポンプ９０５により汲み上げ、循環ホース９０６を介してノズル９０７より水槽９０１内に供給する。これにより、上記ノズル９０７から吐出した洗濯水がドラム９０２内の洗濯物９０８に降り掛かる。その結果、上記水槽９０１内に溜める洗濯水の量が少なくても、洗濯物９０８を洗濯水で濡らし、洗濯物９０８を洗濯できる。
【０００５】
ところで、上記従来のドラム式洗濯機では、糸屑等の異物がヒータ９０３に付着して堆積することがある。上記ヒータ９０３に堆積した異物はユーザでは除去できないため、ユーザは、ヒータ９０３から異物を除去したい場合、例えばメーカのサービスマンに異物の除去を依頼しなければならない。したがって、上記従来のドラム式洗濯乾燥機は保守費用が高いという問題がある。
【０００６】
また、上記ヒータ９０３は水槽９０１とドラム９０２との間に設置されているため、ヒータ９０３はユーザから見えず、ユーザはヒータ９０３に異物が堆積しているか否かを確認できない。したがって、上記ドラム式洗濯機は、異物がヒータ９０３に堆積した状態で使用され続けることがあり、その異物で細菌が繁殖する恐れがある。すなわち、上記従来のドラム式洗濯機では水槽９０１内の清潔性の低下の問題がある。
【特許文献１】特開平９−２１５８９３号公報
【発明の開示】
【発明が解決しようとする課題】
【０００７】
そこで、本発明の課題は、保守費用を下げることができ、かつ、水槽内の清潔性の低下を防ぐことができるドラム式洗濯機を提供することにある。
【課題を解決するための手段】
【０００８】
上記課題を解決するため、本発明のドラム式洗濯機は、
外箱と、
上記外箱内に配置された水槽と、
上記水槽内に回転自在に配置され、洗濯物を収容するドラムと、
上記ドラムに設けられ、上記水槽と上記ドラムとの間の空間と上記ドラム内の空間とを連通させる連通孔と、
上記水槽と上記ドラムとの間の水を上記ドラム内へ戻して循環させるための循環経路と、
上記循環経路の先端部に設けられて水を上記ドラム内へ向けて噴出する洗濯用ノズルと、
上記循環経路から分岐して上記水槽と上記ドラムとの間へ向かって延びる分岐経路と、
上記分岐経路の先端部に設けられて水を上記水槽と上記ドラムとの間へ向けて噴出する異物除去用ノズルと、
上記循環経路に設けられて水を循環させる循環ポンプと
を備えたことを特徴としている。
【０００９】
上記構成のドラム式洗濯機によれば、上記分岐経路の先端部に異物除去用ノズルを設置するから、異物除去用ノズルから吐出した水が水槽とドラムとの間の異物に当たる。したがって、上記異物除去用ノズルから吐出した水によって水槽とドラムとの間を異物が除去され、保守費用を下げることができ、かつ、水槽内の清潔性の低下を防ぐことができる。
【００１０】
また、上記循環経路の他方の端部に洗濯用ノズルを設置するから、洗濯用ノズルから吐出した水がドラム内の洗濯物に当たる。したがって、上記水槽内に溜める水の量が少なくても、洗濯物が十分に濡れるので、洗浄性能及びすすぎ性能を高めることができる。つまり、節水できる上に、いわゆる洗濯性能を向上させることができる。したがって、上記洗濯物の洗い及びすすぎを高効率で行って、洗濯物の洗い及びすすぎに要する時間を短縮できる。
【００１１】
一実施形態のドラム式洗濯機では、
上記水槽の下部に設けられ、上記ドラム内の洗濯物を乾燥させるための乾燥システムを備え、
上記異物除去用ノズルから吐出した水が上記乾燥システムの少なくとも一部に当たる。
【００１２】
上記実施形態のドラム式洗濯機によれば、上記異物除去用ノズルから吐出した水が乾燥システムの少なくとも一部に当たるので、乾燥システムの少なくとも一部に付着した異物を除去できる。
【００１３】
一実施形態のドラム式洗濯機では、上記洗濯用ノズルの吐出量は上記異物除去用ノズルの吐出量と異なる。
【００１４】
上記実施形態のドラム式洗濯機によれば、上記洗濯用ノズルの吐出量が異物除去用ノズルの吐出量と異なるので、洗濯用ノズル及び異物除去用ノズルのそれぞれの吐出量を吐出箇所に応じて設定できる。
【００１５】
一実施形態のドラム式洗濯機では、
上記循環経路から上記洗濯用ノズルへの水の供給を止める第１の止水弁と、
上記循環経路から上記異物除去用ノズルへの水の供給を止める第２の止水弁と
を備える。
【００１６】
上記実施形態のドラム式洗濯機によれば、上記第１，第２の止水弁を制御することによって、洗濯用ノズルによる水の供給と異物除去用ノズルによる水の供給とを独立に行うことができる。
【００１７】
一実施形態のドラム式洗濯機では、上記洗濯用ノズルと上記異物除去用ノズルとのそれぞれを取り囲む保護カバーを備える。
【００１８】
上記実施形態のドラム式洗濯機によれば、上記洗濯用ノズルと異物除去用ノズルとのそれぞれの周囲に保護カバーを設けるので、異物が洗濯用ノズル内及び異物除去用ノズル内に詰まるのを防ぐことができる。
【００１９】
一実施形態のドラム式洗濯機では、上記外箱の前面に着脱可能に設けられたメンテナンスカバーを備える。
【００２０】
上記実施形態のドラム式洗濯機によれば、上記外箱の前面にメンテナンスカバーを着脱可能に設けているので、いわゆるユーザメンテナンスが可能となる。
【００２１】
一実施形態のドラム式洗濯機では、上記洗濯用ノズル及び上記異物除去用ノズルの少なくとも一方は交換可能である。
【００２２】
上記実施形態のドラム式洗濯機によれば、上記洗濯用ノズル及び異物除去用ノズルの少なくとも一方が交換可能であるので、洗濯用ノズル及び異物除去用ノズルの少なくとも一方を交換することにより、異物のより効果的な除去と、洗濯性能のさらなる向上との少なくとも一方を達成できる。
【発明の効果】
【００２３】
本発明のドラム式洗濯機は、水槽とドラムとの間の空間の水が流入する一方の端部を有すると共に、この一方の端部から流入した水をドラム内の空間へ向けて吐出するための他方の端部を有する循環経路を設け、この循環経路から分岐して水槽とドラムとの間の空間へ向かって延びる分岐経路の先端部に異物除去用ノズルを設置するから、異物除去用ノズルから吐出した水が水槽とドラムとの間の異物に当たる。したがって、異物除去用ノズルから吐出した水によって水槽とドラムとの間を異物が除去され、保守費用を下げることができ、かつ、水槽内の清潔性の低下を防ぐことができる。
【００２４】
また、上記循環経路の他方の端部に洗濯用ノズルを設置するから、洗濯用ノズルから吐出した水がドラム内の洗濯物に当たる。したがって、上記水槽内に溜める水の量が少なくても、洗濯物が十分に濡れるので、洗浄性能及びすすぎ性能を高めることができる。したがって、上記洗濯物の洗い及びすすぎを高効率で行って、洗濯物の洗い及びすすぎに要する時間を短縮できる。
【発明を実施するための最良の形態】
【００２５】
以下、本発明のドラム式洗濯機を図示の実施の形態により詳細に説明する。
【００２６】
図１に、本発明の一実施の形態のドラム式洗濯乾燥機の概略断面図を示す。
【００２７】
上記ドラム式洗濯乾燥機は、外箱１と、この外箱１内に配置された有底円筒形状の水槽２と、この水槽２内に回転自在に配置され、洗濯物を収容する有底円筒形状のドラム３と、水槽２の後部に取り付けられ、ドラム３を回転駆動するドラムモータ４と、洗濯物を乾燥させるための乾燥システム５と、水槽２の後部を弾性支持する２本のダンパ６とを備えている。
【００２８】
上記外箱１の前面部には、外箱開口部１２が設けられている。この外箱開口部１２は、外箱１に回動自在に取り付けられたドア１３で開閉するようになっている。また、上記外箱１の前面部の大部分は前パネル１４からなり、外箱１の下部は底台１５で構成されている。また、上記外箱１の上部には、洗剤、漂白剤及び柔軟剤を収容する洗剤ケース１６と、操作キーや表示部を有する操作部１７とが設けられている。この操作部１７の裏側（外箱１の内部側）には、ドラム式洗濯乾燥機の動作を制御する制御装置１８を配置している。
【００２９】
上記洗剤ケース１６には、水道水用給水口１９に供給された水道水が水道水用給水路２０を介して流入したり、風呂水用給水口２１に供給された風呂水が風呂水用給水路２２を介して流入したりする。上記水道水用給水路２０には給水弁２３が設けられている。また、上記風呂水用給水路２２には風呂水ポンプ２４が設けられている。
【００３０】
上記水槽２の前面部には水槽開口部２５が設けられている。この水槽開口部２５の開口縁には、ゴムや軟質樹脂等の弾性体から成るパッキン２６が固着されている。これにより、上記ドア１３を閉じると、ドア１３がパッキン２６に密着するから、水槽２内の液体が水槽２外へ漏れ出るのを防げる。また、上記水槽２は、水槽開口部２５が外箱開口部１２に対向するように横向きに配置されている。より詳しくは、上記水槽２の中心軸は水平方向に対して５°〜３０°の角度を成すように傾斜している。上記水槽２の上部には、水槽２内に洗濯水（洗剤等を含む水道水または単なる水道水）を給水するための給水ダクト２７が接続されている。一方、上記水槽２の下部には、水槽２内の洗濯液等を外部に排水するための排水ダクト２８が接続されている。
【００３１】
上記排水ダクト２８を流れた液体はフィルタケース２９を通って循環ホース７または排水ホース３０に流入する。このフィルタケース２９内にはフィルタ３１が設置されている。
【００３２】
上記排水ホース３０のフィルタケース２９近傍の端部には排水弁３３が取り付けられている。この排水弁３３は排水モータ３２によって開閉される。
【００３３】
上記循環ホース７の下端部は、フィルタケース２９の後方に配置された循環ポンプ３４の吐出口に接続されている。一方、上記循環ホース７の上端部は、可撓性を有する継手３５に接続されている。
【００３４】
上記フィルタ３１は、排水ダクト２８を出て循環ホース７または排水ホース３０へ向かう液体中の糸屑等の異物を捕獲する。このフィルタ３１の清掃・交換はユーザで行える。より詳しくは、ユーザは、前パネル１４に設けられたフィルタ用メンテナンスカバー（図示せず）を開けることにより、フィルタケース２９からフィルタ３１を取り外して、フィルタ３１を清掃したり、フィルタ３１を交換したりすることができる。
【００３５】
上記ドラム３の回転軸は水平方向に対して５°〜３０°の角度を成すように傾斜している。上記ドラム３の前面部には、外箱開口部１２及び水槽開口部２５に対向するドラム開口部３６が設けられている。このドラム開口部３６は水槽開口部２５よりも大きな径を有している。また、上記ドラム３の周壁全域には複数の小孔３７が設けられている。この小孔３７は、水槽２とドラム３との間の空間と、ドラム３内の空間との間で洗濯水や乾燥空気等を流通させるためのものである。また、上記ドラム３の内壁面には、半径方向内側に向かって突出するバッフル３８を設けている。このバッフル３８は、周方向に例えば１２０°間隔で３ヶ所に配置され、ドラム３の回転に伴って洗濯物の持上げと落下とを繰り返す働きをする。また、上記ドラム３のドラム開口部３６を外側から取り囲む液体バランサ３９を設けて、ドラム３の回転時に、洗濯物及び洗濯液等の偏りにより生じようとするアンバランスを、液体バランサ３９の内部における封入液体の移動によって打消すようにしている。なお、上記小孔３７が連通孔の一例である。
【００３６】
上記乾燥システム５はファンユニット４０及び温風ユニット４２を有している。また、詳しくは後述するが、上記乾燥システム５は除湿用熱交換プレート４１（図２参照）も有している。
【００３７】
上記ファンユニット４０は水槽２の後面下部に取り付けられている。また、上記ファンユニット４０は、ファンケース４３と、このファンケース４３内に収容された送風ファン４４と、この送風ファン４４を回転駆動するファンモータ４５とで構成されている。このファンモータ４５は送風ファン４４と直結し、ダイレクトドライブ構造によって送風ファン４４を回転駆動するようになっている。
【００３８】
図２に、上記水槽２の概略正面図を示す。
【００３９】
上記除湿用熱交換プレート４１は水槽２の下部とドラム３の下部との間の領域に配置されており、乾燥システム５の稼働時つまり乾燥運転時に冷却水で冷却される。また、上記除湿用熱交換プレート４１の後部（ファンユニット４０側の部分）は、水槽２の内壁に取り付けられたプレートカバー４６で覆われている。このプレートカバー４６は、洗濯物から蒸発した水分を含む空気を除湿用熱交換プレート４１に沿うように流して、ファンユニット４０のファンケース４３内へ案内する。
【００４０】
上記温風ユニット４２は、乾燥用ヒータ４７と、この乾燥用ヒータ４７の大部分を収容する乾燥用ヒータケース４８と、乾燥用ヒータ４７で加熱された空気をドラム３内へ案内する送風ケース４９とから成っている（図１，図４参照）。
【００４１】
上記乾燥用ヒータ４７は、除湿用熱交換プレート４１の側方に位置するように、水槽２の下部とドラム３の下部との間に設置されて、ファンユニット４０の吹き出し空気を加熱する。
【００４２】
上記送風ケース４９の上端部に設けられた吹出口５０は、水槽開口部２５の下縁とドラム開口部３６の下縁との間に位置している。これにより、上記送風ケース４９で案内された空気は吹出口５０からドラム３内へ向かって吹き出す。
【００４３】
なお、図２において、Ｃ１は水槽開口部２５の中心であり、Ｃ２はドラム開口部３６の中心である。
【００４４】
図３Ａに、上記継手３５の概略断面図を示す。また、図３Ｂに、上記継手３５の吐出口５１を軸方向から見た概略図を示す。そして、図３Ｃに、上記継手３５の吐出口５２を軸方向から見た概略図を示す。
【００４５】
上記継手３５には、図３Ａに示すように、２つの吐出口５１，５２を有している。図３Ｂ，図３Ｃに示すように、上記吐出口５１の内径Ｒ１は吐出口５２の内径Ｒ２よりも大きくなっている。これにより、上記吐出口５１の吐出量は吐出口５２の吐出量より多くなる。
【００４６】
図４に、図１の要部の拡大図を示す。
【００４７】
上記吐出口５１は、接続ホース５３を介して洗濯用ノズル８が交換可能に接続されている。また、上記吐出口５２は、接続ホース５４を介して異物除去用ノズル９が交換可能に接続されている。そして、上記洗濯用ノズル８及び異物除去用ノズル９は、それぞれ、水槽２の前面下部に設けられた取付部５５，５６の貫通穴に挿入されている。また、上記洗濯用ノズル８と取付部５５の貫通穴との間は止水パッキン５７で塞がれている。また、上記異物除去用ノズル９と取付部５６の貫通穴との間は止水パッキン５８で塞がれている。
【００４８】
上記送風ケース４９の吹出口５０は水槽開口部２５の下部とドラム開口部３６の下部との間の空間に対向している。
【００４９】
図５Ａに、上記送風ケース４９の概略断面図を示す。また、図５Ｂに、上記送風ケース４９の概略正面図を示す。
【００５０】
上記送風ケース４９には、図５Ａ，図５Ｂに示すように、洗濯用ノズル８の先端部を取り囲むための筒形状の保護カバー５９と、異物除去用ノズル９の先端部を取り囲むための筒形状の保護カバー６０とが設けられている。上記保護カバー５９は送風ケース４９の吹出口５０から先端部が突出している。また、上記保護カバー６０は乾燥用ヒータ４７及び乾燥用ヒータケース４８へ向かって突出している。このような保護カバー５９，６０が取付部５５，５６の貫通穴に対向する。これにより、上記洗濯用ノズル８，異物除去用ノズル９を取付部５５，５６の貫通穴に挿入して、図４に示すように、洗濯用ノズル８，異物除去用ノズル９の先端部を保護カバー５９，６０で取り囲むことができる。
【００５１】
なお、上記排水ダクト２８と循環ホース７と継手３５の一部と接続ホース５３とが循環経路の一例を構成している。また、上記継手３５の他の部分と接続ホース５４とが分岐経路の一例を構成している。
【００５２】
上記構成のドラム式洗濯乾燥機によれば、洗い運転またはすすぎ運転時、排水弁３３が閉じたままの状態で、循環ポンプ３４が稼働する。これにより、上記循環ポンプ３４は、水槽２とドラム３との間にある洗濯水を吸い込み、その洗濯水を循環ホース７へ供給する。そして、上記循環ホース７を出た洗濯水は、継手３５で分岐して、接続ホース５３，５４へ流入する。上記接続ホース５４へ流入した洗濯水は、異物除去用ノズル９から水槽２とドラム３との間へ向かって吹き出る。その結果、上記洗濯水が乾燥用ヒータ４７及び乾燥用ヒータケース４８に当たって、乾燥用ヒータ４７及び乾燥用ヒータケース４８から糸屑等の異物が洗い流される。この乾燥用ヒータ４７及び乾燥用ヒータケース４８から外れた異物は洗濯水と共に排水ダクト２８を流れてフィルタ３１で捕獲される。したがって、上記フィルタ３１の清掃・交換はユーザで行えるから、保守費用を下げることができ、かつ、水槽２内の清潔性の低下を防ぐことができる。
【００５３】
また、上記接続ホース５３に流入した洗濯水は、洗濯用ノズル８からドラム３内へ向かって吹き出て、ドラム３内の洗濯物を濡らす。したがって、上記水槽２内に溜める水の量が少なくても、洗濯物が十分に濡れるので、洗浄性能及びすすぎ性能を高めることができる。つまり、節水できる上に、いわゆる洗濯性能を向上させることができる。したがって、上記洗濯物の洗い及びすすぎを高効率で行って、洗濯物の洗い及びすすぎに要する時間を短縮できる。
【００５４】
また、上記洗濯用ノズル８に接続ホース５３を介して接続された吐出口５１の吐出量は、異物除去用ノズル９に接続ホース５４を介して接続された吐出口５２の吐出量より多くすることにより、洗濯用ノズル８の噴射量を異物除去用ノズル９の噴射量よりも多くしている。したがって、上記洗濯性能を下げることなく、乾燥用ヒータ４７及び乾燥用ヒータケース４８から糸屑等の異物を除去できる。
【００５５】
また、上記保護カバー５９が洗濯用ノズル８の先端部を取り囲んでいるから、糸屑等の異物が洗濯用ノズル８内に詰まるのを防ぐことができる。
【００５６】
上記洗濯用ノズル８と同様に、保護カバー６０が異物除去用ノズル９の先端部を取り囲んでいるから、糸屑等の異物が異物除去用ノズル９内に詰まるのも防ぐことができる。
【００５７】
また、上記継手３５の代わりに、図６に示すような継手１３５を用いてもよい。この継手１３５では、吐出口１５１，１５２近傍の部分に止水弁１０，１１が設けられている。これにより、目的に応じて、洗濯水を洗濯用ノズル８からだけ吐出させたり、洗濯水を異物除去用ノズル９からだけ吐出させたり、洗濯水を洗濯用ノズル８，異物除去用ノズル９の両方から吐出させたりすることができる。なお、上記止水弁１０は第１の止水弁の一例であり、止水弁１１は第２の止水弁の一例である。
【００５８】
上記止水弁１０，１１は、予めメモリに記憶させた制御プログラムに応じて開閉するようにしてもよいし、ユーザが操作部１７を操作して開閉するようにしてもよい。
【００５９】
また、上記前パネル１４の代わりに、図７に示すような前パネル１１４を用いてもよい。この前パネル１１４は、継手３５に対向するメンテナンス用開口部６１を有している。そして、上記メンテナンス用開口部６１には着脱可能にメンテナンスカバー６２が取り付けられている。これにより、ユーザは、メンテナンス用開口部６１からメンテナンスカバー６２を取り外して、洗濯用ノズル８や異物除去用ノズル９等の清掃・交換を行える。
【００６０】
また、上記洗濯用ノズル８や異物除去用ノズル９は、図８Ａ〜図８Ｃに示すノズル６３，６４，６５と交換してもよい。上記ノズル６３の噴出範囲はノズル６４，６５の噴出範囲よりも広く、また、ノズル６４の噴出範囲はノズル６５の噴出範囲よりも広くなっている。すなわち、上記ノズル６３，６４，６５においては、ノズル６３の噴出範囲が最も広く、ノズル６５の噴出範囲が最も狭くなっている。
【００６１】
したがって、上記洗濯用ノズル８や異物除去用ノズル９をノズル６３，６４，６５と交換する場合、洗濯物の量や材質に応じてノズル６３，６４，６５のどれかを選択すれば、洗濯性能をより高めることができると共に、糸屑等の異物の除去能力をより高めることができる。
【００６２】
また、図示しないが、上記洗濯用ノズル８や異物除去用ノズル９は、角錐、円錐及びライン状に洗濯水を噴射できるノズルと交換してもよい。
【００６３】
上記実施の形態では、風呂水ポンプ２４を風呂水用給水路２２に設けていたが、風呂水ポンプ２４の代わりに給水弁を設けてもよい。
【００６４】
また、本発明は、乾燥機能を有するドラム式洗濯乾燥機のみならず、乾燥機能を有さないドラム式洗濯機にも適用できる。
【００６５】
また、本発明の洗濯用ノズルや異物除去用ノズルを設置する位置は上記実施の形態に限定されないのは言うもない。
【図面の簡単な説明】
【００６６】
【図１】図１は本発明の一実施の形態のドラム式洗濯乾燥機の概略断面図である。
【図２】図２は上記ドラム式洗濯乾燥機の水槽の概略正面図である。
【図３Ａ】図３Ａは上記ドラム式洗濯乾燥機の継手の概略断面図である。
【図３Ｂ】図３Ｂは上記継手の一方の吐出口を軸方向から見た概略図である。
【図３Ｃ】図３Ｃは上記継手の他方の吐出口を軸方向から見た概略図である。
【図４】図４は図１の要部の拡大図である。
【図５Ａ】図５Ａは上記ドラム式洗濯乾燥機の送風ケースの概略断面図である。
【図５Ｂ】図５Ｂは上記送風ケースの概略正面図である。
【図６】図６は上記継手の変形例の概略断面図である。
【図７】図７は上記ドラム式洗濯乾燥機の前パネルの変形例を説明するための概略断面図である。
【図８Ａ】図８Ａは上記ドラム式洗濯乾燥機の洗濯用ノズル，異物除去用ノズルと交換可能なノズルの概略断面図である。
【図８Ｂ】図８Ｂは上記ドラム式洗濯乾燥機の洗濯用ノズル，異物除去用ノズルと交換可能なノズルの概略断面図である。
【図８Ｃ】図８Ｃは上記ドラム式洗濯乾燥機の洗濯用ノズル，異物除去用ノズルと交換可能なノズルの概略断面図である。
【図９】図９は従来のドラム式洗濯機の概略断面図である。
【符号の説明】
【００６７】
１  外箱
２  水槽
３  ドラム
５  乾燥システム
７  循環ホース
８  洗濯用ノズル
９  異物除去用ノズル
１０，１１  止水弁
３４  循環ポンプ
３５  継手
３７  小孔
５３，５４  接続ホース
５９，６０  保護カバー
６２  メンテナンスカバー
６３，６４，６５  ノズル
【図１】
2006239141.tif 000003
【図２】
2006239141.tif 000004
【図３Ａ】
2006239141.tif 000005
【図３Ｂ】
2006239141.tif 000006
【図３Ｃ】
2006239141.tif 000007
【図４】
2006239141.tif 000008
【図５Ａ】
2006239141.tif 000009
【図５Ｂ】
2006239141.tif 000010
【図６】
2006239141.tif 000011
【図７】
2006239141.tif 000012
【図８Ａ】
2006239141.tif 000013
【図８Ｂ】
2006239141.tif 000014
【図８Ｃ】
2006239141.tif 000015
【図９】
2006239141.tif 000016